(57)【要約】【課題】  従来の理美容用椅子にあっては、ベッド状態において前垂れとステップとの間に段差が発生すると共に隙間が生じているために、寝心地が悪く、エステ時の寝た状態において被施術者が低身長者であると隙間に踵が入り込んでしまうといった問題があった。【解決手段】  前垂れ４の起伏に伴って回動するステップリンク６１に対してステップ５をリンク機構６を介して取付け、前垂れが水平方向に回動するのに応じてステップが回動し、かつ、前垂れの先端側に向かって移動して、前垂れとステップが水平状態となった時に前垂れの上面とステップの上面とが面一になり、かつ、前垂れとの間に隙間が生じないようにしたエステ用ベッドである。【選択図】        図５
2006341027.tif 000002
【特許請求の範囲】
【請求項１】
前垂れの起伏に伴って回動するステップリンクに対してステップをリンク機構を介して取付け、前垂れが水平方向に回動するのに応じてステップが回動し、かつ、前垂れの先端側に向かって移動して、前垂れとステップが水平状態となった時に前垂れの上面とステップの上面とが面一になり、かつ、前垂れとの間に隙間が生じないようにしたことを特徴とするエステ用ベッド。
【請求項２】
座部に対して起伏可能に取付けられベッド状態時に座部と水平状態になる背凭れと、前記座部に対して油圧シリンダ等のアクチュエータによって座部の先端で垂下状態と水平状態となる前垂れと、該前垂れの起伏に連動して回動するステップリンクと、該ステップリンクに対して平行リンクを介して取付けられたステップと、前記アクチュエータが身長すると前記平行リンクを介して前記ステップを前記前垂れ側に平行移動させる回動リンクとより構成したことを特徴とするエステ用ベッド。
【発明の詳細な説明】
【技術分野】
【０００１】
本発明は、エステティックサロン等において使用され、被施術者を仰臥状態して施術するために背凭れ、座部、前垂れおよび足乗せ台を水平状態のベッド状にしたり、被施術者を着座状態にするために座部に対して背凭れおよび前垂れを略直角になすと共にステップを前垂れに対して水平状態に変更可能としたサロン用ベッドの改良に関する。
【背景技術】
【０００２】
本出願人会社が頒布した座部に対して背凭れが起伏自在に、また、座部に対して前垂れが垂下状態と座部に対して水平状態に、さらに、前垂れに対してステップが足乗せ状態と水平状態に変化して、椅子の状態とベッド状態に可変可能な理美容用椅子がカタログに開示されている。このカタログに示されている理美容用椅子にあっては、前垂れの上面とステップの上面に段差があり、かつ、前垂れとステップとの間に大きな隙間が発生しているものである。
【非特許文献１】カタログ名「ＢＡＲＢＥＲ  ＣＨＡＩＲＳ」  発行者「タカラベルモント株式会社」  発行年月日「初版１９８９年８月１０日」
【発明の開示】
【発明が解決しようとする課題】
【０００３】
ところで、前記した理美容用椅子にあっては、ベッド状態において前垂れとステップとの間に段差が発生すると共に隙間が生じているために、寝心地が悪く、エステ時の寝た状態において被施術者が低身長者であると隙間に踵が入り込んでしまうといった問題があった。
【０００４】
本発明は前記した問題点を解決せんとするもので、その目的とするところは、ベッド状態においてステップを前垂れの起伏に対して起伏させると共に前垂れ側に移動させるようにしたので、前垂れとの高さが同じになるようにしたので、寝心地が良くなり、かつ、前垂れとステップの間に隙間が発生しないようにしたの低身長者の場合にも踵が隙間に入り込むことがないエステ用ベッドを提供せんとするにある。
【課題を解決するための手段】
【０００５】
本発明のエステ用ベッドは前記した目的を達成せんとするもので、請求項１の手段は、前垂れの起伏に伴って回動するステップリンクに対してステップをリンク機構を介して取付け、前垂れが水平方向に回動するのに応じてステップが回動し、かつ、前垂れの先端側に向かって移動して、前垂れとステップが水平状態となった時に前垂れの上面とステップの上面とが面一になり、かつ、前垂れとの間に隙間が生じないようにしたことを特徴とする。
【０００６】
請求項２の手段は、座部に対して起伏可能に取付けられベッド状態時に座部と水平状態になる背凭れと、前記座部に対して油圧シリンダ等のアクチュエータによって座部の先端で垂下状態と水平状態となる前垂れと、該前垂れの起伏に連動して回動するステップリンクと、該ステップリンクに対して平行リンクを介して取付けられたステップと、前記アクチュエータが身長すると前記平行リンクを介して前記ステップを前記前垂れ側に平行移動させる回動リンクとより構成したものである。
【発明の効果】
【０００７】
本発明は前記したように、ステップリンクに対してステップをリンク機構を介して取付け、前垂れが水平方向に回動するのに応じてステップが回動し、かつ、前垂れの先端側に向かって移動するようにしたので、前垂れとステップが水平状態となった時には、前垂れの上面とステップの上面とが面一となって寝心地がよくなり、また、前垂れとステップとの間に隙間が生じないことから低身長者の場合にも踵が隙間に入り込むことがない等の効果を有するものである。
【発明を実施するための最良の形態】
【０００８】
本発明は、前垂れの起伏に伴って回動するステップリンクに対してステップをリンク機構を介して取付け、前垂れが水平方向に回動するのに応じてステップが回動し、かつ、前垂れの先端側に向かって移動するものである。
【実施例１】
【０００９】
以下、本発明に係るサロン用ベッドの一実施例を図面と共に説明する。
本発明におけるサロン用ベッドは、油圧シリンダ等のアクチュエータ（図示せず）が組み込まれた昇降手段１によって上下動可能な座部２と、該座部２の後方に回動自在に軸支され油圧シリンダ等のアクチュエータ３１によって座部２に対して水平状態と起立状態とに可変可能に取付けられた背凭れ３と、前記座部２の前方に回動自在に軸支され油圧シリンダ等のアクチュエータ４１によって水平状態と垂下状態とに可変可能に取付けられた前垂れ４と、該前垂れ４の前方に軸支され、かつ、前記アクチュエータ４１によって前垂れ４に対してリンク機構６を介して水平状態と垂下状態とに可変可能に取付けられたステップ５とより構成されている。
【００１０】
なお、７は前記背凭れ３の上端には被施術者が仰臥状態殿において顔を乗せる枕が水平状態と垂下状態となるように構成された（例えば、本発明の出願人が出願した実公昭５６−４３０８５号公報）枕にして、該枕の中央には被施術者の口と鼻に対向する部分に孔７１が開口されている。
【００１１】
また、８は背凭れ３の左右両側には上方に引き上げ、かつ、回転することで背凭れ３と平行状態とする回動機構８１が取付けられた腕受台にして、該腕受台８を背凭れ３と平行状態とすることで、仰臥状態の被施術者が両手を頭部前方に延ばした状態で両手を乗せて安楽姿勢が取れるようになっている。
【００１２】
次に、座部２に対して背凭れ３を起伏させるための構造について説明するに、背凭れ３は座部２の座部基板２１の後方両側に取付けられたＬ字状アーム２２に対して回動自在に軸支され、また、座部２における裏面側の片側に一端が軸支されたアクチュエータ３１の他端が背凭れ３の下面側に軸支されている。従って、アクチュエータ３１に油を供給するとラムが伸長して背凭れ３は座部２に対して起立状態となり、油を排出させると背凭れ３の重量および着座している被施術者の寄り掛かる体重とによって座部２と平行状態となる。
【００１３】
なお、前記アクチュエータ３１による背凭れ３の起伏角度は後述する前垂れ４の起伏角度を検出するための２本のリンクを介して回転される座部２の裏面に取付けられたポテンショメータ等の角度検出手段によって常時検出されている。
【００１４】
次に、座部２に対して前垂れ４を起伏させるための構造について説明するに、前垂れ４の前垂れ基板４２両側に取付けられたＬ字状アーム４３の先端が座部２の座部基板２１に対して回動自在に軸支され、また、座部基板２１の裏面側中央に固定された軸２６にアクチュエータ４１の一端が軸支され、該アクチュエータ４１の他端（ラム側）は前垂れ基板４２の先端側に固定された軸４４に軸支されている。さらに、前記軸２６と軸４４との間には一対の引っ張りスプリング４５が張設されている。
【００１５】
このような構成によって、アクチュエータ４１に油を供給するとラムがスプリング４５のバネ力に抗して伸長して前垂れ４を座部２と水平状態となるように押し上げ、また、アクチュエータ４１の油を排出すると前記スプリング４５のバネ力と前垂れ４およびステップ５との重量および着座している被施術者の下半身の体重とによって前垂れ４は座部２の先端において垂下された状態となる。
【００１６】
なお、座部基板２１には前垂れ４の起伏角度を検出するためのポテンショメータ等の角度制御手段２３が取付けられており、該角度検出手段２３の回転軸には第１のアーム２４の一端が取付けられ、該第１のアーム２４の他端は前記Ｌ字状アーム４３に一端が軸支された第２のアーム２５の他端に軸支されている。従って、アクチュエータ４１が伸長、収縮してＬ字アーム４３が回動すると第２、第１のアーム２５，２４を介してポテンショメータ２３の抵抗値が変化するので、この抵抗値から前垂れ４の起伏角度を知ることができる。
【００１７】
次に、前記前垂れ４に取付けられ、前垂れ４の水平状態への移行に伴って前垂れの前方においてステップ５を水平状態となし、かつ、前垂れ４の垂下状態への移行に伴って前垂れ４の先端においてステップ５を略直角とするためのリンク機構６の構造について説明する。
【００１８】
６１は前記前垂れ基板４２の先端側に軸支された一対のステップリンク、６２は一端が前記座部基板２１の先端に軸支され、他端が前記ステップリンク６１の前記前垂れ基板４２の先端が軸支された部分と近接した位置で軸支された支えリンク、６３，６４は一端がステップ５のステップ基板５１に一端が軸支されたそれぞれ一対の第１、第２の平行リンクにして、該平行リンク６３，６４の他端は前記ステップリンク６１に軸支されている。また、第１の平行リンク６３はステップリンク６１に軸支された側が延長片６３ａとなっており、該延長片６３ａの先端は一端が前記軸４４に軸支された回動リンク６５の他端に軸支されている。
【００１９】
このような構成によって、アクチュエータ４１に油を供給すると前記したように前垂れ４が座部２と水平状態となるように押し上げられる。この前垂れ４の上昇に伴って支えリンク６２はステップリンク６１を図５、図８において右方向に押し出されるので、該ステップリンク６１は前垂れ基板４２との軸支点を支点として斜め上方に向かって押し上げられる。そして、ステップリンク６１が押し上げられると、一端が軸４４に軸支されている回動リンク６５に軸支されている第１の平行リンク６３がステップ基板５１との軸支点を支点として反時計方向に回動されるので、第２の平行リンク６４と共にステップ基板５１を前垂れ４の先端側に向かって押し上げながら平行移動させる。そして、最終の位置において、座部２に対して前垂れ４およびステップ５が面一状態になると共に前垂れ４とステップ５との隙間もなくなる状態となる。
【００２０】
次に、本発明に係るエステ用ベッドを図６〜図８に示す椅子の状態において被施術者を導入して顔等のエステを行った後に、全身のエステを行うために椅子の状態から図１〜図５に示すベッド状態に移行するための動作を説明する。なお、椅子の状態にあっては、枕７は背凭れ３の背面側に折られているので背凭れ３の上方に位置するようにセットし、また、腕受台８は背凭れ３の側面下方に移動しているので、背凭れ３の上方で、かつ、略面一となるようにセットする。
【００２１】
このようにセットした状態において、図示しないフットペダルを踏み込むと、先ず、アクチュエータ４１に対して油の供給が行われる。これにより、アクチュエータ４１のラムがスプリング４５のバネ力に抗して伸長するので座部２に対して垂下状態にある前垂れ４は水平方向に回動を始め、また、ステップ５はステップリンク６１に対して平行移動しながら前垂れ４の先端側に移動しながら上昇を開始する。
【００２２】
そして、前垂れ４がある回動されるとポテンショメータ２３によって、その回動量を知ることができるので、該ポテンショメータ２３の抵抗値が予め設定した値になるとアクチュエータ３１内の油を抜くための電磁弁が開放する。これにより、背凭れ３の自重と被施術者が背凭れ３に寄り掛かっている体重とによって伏倒を開始する。
【００２３】
この背凭れ３の伏倒角度は図示しないポテンショメータによって知ることができるので、予め設定されている伏倒状態になると前記電磁弁を閉じてその状態で維持される。一方、前垂れ４とステップ５とはアクチュエータ４１のラムの伸長量に応じて水平状態となり、かつ、この水平状態はポテンショメータ２３によって知ることができるので、予め設定した値をポテンショメータ２３が示すとアクチュエータ４１への油の供給を電磁弁を閉じて停止する。
【００２４】
この状態にあっては、背凭れ３、座部２、前垂れ４およびステップ５は隙間なく水平状態となるので、寝た状態の被施術者が通常のベッドに寝ていると同じ感触を味わうことになり違和感がない。
【００２５】
次いで、施術が終了しベッド状態にある本発明のエステ用ベッドを図６〜図８に示す椅子の状態に戻すには、先ず、アクチュエータ３１に油を供給して背凭れ３を起立方向に回動すると共に、該起立状態が予め設定した値をポテンショメータが検出すると、アクチュエータ４１の油を抜くための電磁弁を開放する。これにより、前垂れ４はスプリング４５のバネ力によって垂下方向に回動される。一方、ステップ５は前垂れ４が変位することでリンク機構６によって前記したとは逆の動作によって平行状態を保ちながら下降を開始する。そして、ポテンショメータ２３が予め設定した値になると電磁弁が閉じられて初期の椅子の状態に戻るものである。
【図面の簡単な説明】
【００２６】
【図１】本発明に係るエステ用ベッドの平面図である。
【図２】同上の側面図である。
【図３】図１のステップ側から見た側面図である。
【図４】前垂れに対してステップが水平となっている状態のリンク機構の底面図である。
【図５】同上の側面図である。
【図６】椅子状態の側面図である。
【図７】前垂れに対してステップが直角となっている状態のリンク機構の低迷図である。
【図８】同上の側面図である。
【符号の説明】
【００２７】
１          昇降手段
２          座部
３          背凭れ
４          前垂れ
４１        アクチュエータ
５          ステップ
６          リンク機構
６１        ステップリンク
６２        支えリンク
６３        第１の平行リンク
６４        第２の平行リンク
６５        回動リンク
【図１】
2006341027.tif 000003
【図２】
2006341027.tif 000004
【図３】
2006341027.tif 000005
【図４】
2006341027.tif 000006
【図５】
2006341027.tif 000007
【図６】
2006341027.tif 000008
【図７】
2006341027.tif 000009
【図８】
2006341027.tif 000010